(57)【要約】【課題】  コンパクト化及び軽量化とコストダウンを実現しつつ、ノイズに対する誤動作を防止することができ、広く均一に照らせる、天井面の配線器具に簡単に取り付けられるＬＥＤ照明装置を提供する。【解決手段】  ＬＥＤ照明装置１００は、天井面５等の被取付部に取り付けられる ＬＥＤランプ本体と、このＬＥＤランプ本体を覆う透光性カバー３とを備えている。ＬＥＤランプ本体は、被取付部の配線器具７に取り付けられたアダプタ６に取り付けられる取付部分を有するベース部材１０と、このベース部材１０に配設される点灯基板１３と、 この点灯基板１３により点灯するＬＥＤ素子と、このＬＥＤ素子を実装したＬＥＤ基板１４とを有する。透光性カバー３は、光を出射するセード３１と、取付部分とセード３１の前面側開口部をつなぐ略円筒形のセンタースリーブ３２とから成り、セード３１とセンタースリーブ３２とが一体に構成されている。【選択図】  図２
2015088270.tif 000002
【特許請求の範囲】
【請求項１】
天井面等の被取付部に取り付けられるＬＥＤランプ本体と、
前記ＬＥＤランプ本体を覆う透光性カバーと、を備えたＬＥＤ照明装置であって、
前記ＬＥＤランプ本体は、
前記被取付部の配線器具に取り付けられたアダプタに取付けられる取付部分を有するベース部材と、
前記ベース部材に配設される点灯基板と、
前記点灯基板により点灯するＬＥＤ素子と、
前記ＬＥＤ素子を実装したＬＥＤ基板とを有し、
前記透光性カバーは、
光を出射するセードと、
前記取付部分と前記セードの前面側開口部をつなぐ略円筒形のセンタースリーブとから成り、
前記セードと前記センタースリーブとが一体に構成されていることを特徴とするＬＥＤ照明装置。
【請求項２】
請求項１に記載されたＬＥＤ照明装置であって、前記セードの前面側に設けられたセード開口部を覆うセンターキャップを更に備え、前記センターキャップは、前記透光性カバーの前記センタースリーブとロック機構により嵌合されていることを特徴とするＬＥＤ照明装置。
【請求項３】
請求項２に記載されたＬＥＤ照明装置であって、前記ロック機構は、前記センタースリーブの前面側に設けられ、凸形状を有するスリーブ凸部を備えたスリーブ嵌合部と、
前記センターキャップに設けられ、前記センターキャップの回動により前記スリーブ凸部を乗り越えて前記スリーブ凸部に係合して、前記センターキャップを前記セード開口部に固定する凸形状を有するキャップ凸部を備えたキャップ嵌合部とから成っていることを特徴とするＬＥＤ照明装置。
【請求項４】
請求項１乃至請求項３のいずれかに記載されたＬＥＤ照明装置であって、前記透光性カバーの外縁部は、前記ベース部材に、弾性部材を介して嵌装されていることを特徴とするＬＥＤ照明装置。
【請求項５】
請求項１乃至請求項４のいずれかに記載されたＬＥＤ照明装置であって、補助光源とリモートコントロール信号受光部が、異なる別々の前記ＬＥＤ基板に設置されていることを特徴とするＬＥＤ照明装置。
【請求項６】
請求項１乃至請求項５のいずれかに記載されたＬＥＤ照明装置であって、前記ＬＥＤ基板は、前記ベース部材の外縁部から中心部に向かって前面側に傾斜して配置されていることを特徴とするＬＥＤ照明装置。
【請求項７】
請求項６に記載されたＬＥＤ照明装置であって、前記ＬＥＤランプ本体は、前記ＬＥＤ基板を支持する基板固定台を更に有し、前記基板固定台は、前記ベース部材の外縁部から中心部に向かって前面側に傾斜していることを特徴とするＬＥＤ照明装置。
【請求項８】
請求項７に記載されたＬＥＤ照明装置であって、前記基板固定台は、断熱性を有する部材から形成されていることを特徴とするＬＥＤ照明装置。
【発明の詳細な説明】
【技術分野】
【０００１】
本発明は、ＬＥＤ素子を光源に使用したＬＥＤ照明装置に係り、特に天井面に設置された配線器具に接続される天井直付け型シーリングライトにおいて、光を出射させる透光性カバーの改良に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井直付け型のシーリングライトや、天井面から吊り下げられて室内を照らす吊下げ型照明機器においても、ＬＥＤ素子を使用した照明装置が開発され、市場に導入されてきている。
【０００３】
このような天井直付けシーリングライトは、天井面に取り付けられた引掛シーリングボディ等の配線器具に、アダプタを介して照明装置を装着するものであり、特に最近は厚みの薄いシーリングライトが検討されている（例えば、特許文献１〜３参照）。
【０００４】
具体的には、例えば、特許文献１に記載されている照明装置は、発光素子を光源とする光源部と、この光源部から光が照射され、光の透過率が相対的に小さい領域と、光の透過率が相対的に大きい領域とが混在するように形成された光透過制御部と、この光透過制御部に対応して設けられた多面体からなる光学製品とを具備する。これにより、グレアを抑制して演出効果を高め、照明装置として付加価値を高めることが可能な照明装置が提供される。
【０００５】
しかしながら、この特許文献１に記載されている照明装置においては、グレアを抑制するために光透過制御部や多面体からなる光学製品を具備している。このため、セードに対して光透過制御部や多面体からなる光学製品を具備しているので、本体の軽量化を図ることが難しく、コストダウンを図ることも難しくなる問題があった。
【０００６】
また、特許文献２に記載されている照明装置は、ＬＥＤを含んでなる光源と、光源に電力を供給する電源基板と、光源及び電源基板を保持する保持体と、光源を覆う透光性カバーとを備えており、保持中は、保持体を被取付部材に取付けるための穴をその略中央に有し、電源基板は、保持体の穴の周囲に設けられ、光源は、電源基板の周囲に設けられ、照明装置は、保持体の穴に対向して配置されるセンターカバーをさらに備える。このように、光源、電源部及び取付部を夫々被取付部材に対して互いに重なり合わないように保持体に配することにより、被取付部材からの突設高さを低減することができ、薄型化された照明装置が提供される。
【０００７】
しかし、この特許文献２に記載されている照明装置においては、光源、電源部及び取付部を夫々被取付部材に対して互いに重なり合わないように保持体に配設されているため、薄型化はできるが、特に径方向にコンパクトにすることが難しく、コストダウンを図ることも難しくなる問題があった。
【０００８】
さらに、特許文献３に記載されている照明器具は、主光源としての複数の発光素子が実装された基板と同一基板に、補助光源としての発光素子及び赤外線リモコン送信器から送信される制御信号を受信する赤外線リモコン信号受光素子が実装されている。このように、主光源と同一基板に、補助光源、赤外線リモコン信号受光素子を実装することにより、違和感を生じることなく、配線接続関係を簡素化できる照明器具が提供される。
【０００９】
しかし、この特許文献３に記載されている照明器具においては、主光源と同一基板に、補助光源、赤外線リモコン信号受光素子が実装されているため、配線接続関係を簡素化することはできるものの、一方で、発光素子の駆動信号と赤外線リモコン信号受光素子の信号が同一配線接続されているので、ノイズによる誤動作防止を図ることが難しくなる問題があった。
【先行技術文献】
【特許文献】
【００１０】
【特許文献１】特開２０１３−８０６８０号公報
【特許文献２】特開２０１３−１７９０９３号公報
【特許文献３】特開２０１２−１６０４２６号公報
【発明の概要】
【発明が解決しようとする課題】
【００１１】
本発明が解決しようとする課題は、上記の問題点に鑑み、コンパクト化及び軽量化とコストダウンを実現しつつ、ノイズに対する誤動作を防止することができ、広く均一に照らせる、天井面の配線器具に簡単に取り付けられるＬＥＤ照明装置を提供することにある。
【課題を解決するための手段】
【００１２】
本発明は、上記の課題を解決するための第１の手段として、天井面等の被取付部に取り付けられるＬＥＤランプ本体と、このＬＥＤランプ本体を覆う透光性カバーと、を備えたＬＥＤ照明装置であって、ＬＥＤランプ本体は、被取付部の配線器具に取り付けられたアダプタに取付けられる取付部分を有するベース部材と、このベース部材に配設される点灯基板と、この点灯基板により点灯するＬＥＤ素子と、このＬＥＤ素子を実装したＬＥＤ基板とを有し、透光性カバーは、光を出射するセードと、取付部分とセードの前面側開口部をつなぐ略円筒形のセンタースリーブとから成り、セードとセンタースリーブとが一体に構成されていることを特徴とするＬＥＤ照明装置を提供するものである。
【００１３】
本発明は、上記の課題を解決するための第２の手段として、上記第１の解決手段において、セードの前面側に設けられたセード開口部を覆うセンターキャップを更に備え、
このセンターキャップは、透光性カバーのセンタースリーブとロック機構により嵌合されていることを特徴とするＬＥＤ照明装置を提供するものである。
【００１４】
本発明は、上記の課題を解決するための第３の手段として、上記第２の解決手段において、ロック機構は、センタースリーブの前面側に設けられ、凸形状を有するスリーブ凸部を備えたスリーブ嵌合部と、センターキャップに設けられ、センターキャップの回動によりスリーブ凸部を乗り越えてスリーブ凸部に係合して、センターキャップをセード開口部に固定する凸形状を有するキャップ凸部を備えたキャップ嵌合部とから成っていることを特徴とするＬＥＤ照明装置を提供するものである。
【００１５】
本発明は、上記の課題を解決するための第４の手段として、上記第１乃至第３のいずれかの解決手段において、透光性カバーの外縁部は、ベース部材に、弾性部材を介して嵌装されていることを特徴とするＬＥＤ照明装置を提供するものである。
【００１６】
本発明は、上記の課題を解決するための第５の手段として、上記第１乃至第４のいずれかの解決手段において、補助光源とリモートコントロール信号受光部が、異なる別々のＬＥＤ基板に設置されていることを特徴とするＬＥＤ照明装置を提供するものである。
【００１７】
本発明は、上記の課題を解決するための第６の手段として、上記第１乃至第５のいずれかの解決手段において、ＬＥＤ基板は、ベース部材の外縁部から中心部に向かって前面側に傾斜して配置されていることを特徴とするＬＥＤ照明装置を提供するものである。
【００１８】
本発明は、上記の課題を解決するための第７の手段として、上記第６の解決手段において、ＬＥＤランプ本体は、ＬＥＤ基板を支持する基板固定台を更に有し、この基板固定台は、ベース部材の外縁部から中心部に向かって前面側に傾斜していることを特徴とするＬＥＤ照明装置を提供するものである。
【００１９】
本発明は、上記の課題を解決するための第８の手段として、上記第７の解決手段において、基板固定台は、断熱性を有する部材から形成されていることを特徴とするＬＥＤ照明装置を提供するものである。
【発明の効果】
【００２０】
本発明によれば、上記のように、セードとセンタースリーブが一体で構成されているため、コンパクト化されるとともに、製造に要する手間と時間を削減することができ、軽量化とコストダウンすることができる実益がある。
【００２１】
同時に、本発明によれば、上記のように、センターキャップは、ロック機構により、センタースリーブと嵌合されているため、確実な嵌合を行うことができる実益がある。
【００２２】
また、本発明によれば、上記のように、透光性カバーの外縁部は、ベース部材に弾性部材を介して嵌装されているため、コンパクト化を図り、コストダウンできるとともに、この弾性部材の弾性変形によりベース部材の形状に追随して密着することができるため、ベース部材と透光性カバーの間が密閉されて、ＬＥＤ照明装置に粉塵や虫等の侵入を防ぐ効果も合わせて生じさせることができる実益がある。
【００２３】
また、本発明によれば、上記のように、補助光源とリモートコントロール信号受光部（以下、リモコン信号受光部と略称する。）が、異なる別々のＬＥＤ基板に設置されているため、ノイズに対する誤動作防止策が図ることができる実益がある。
【００２４】
また、本発明によれば、上記のように、ＬＥＤ基板は、断熱性を有する基板固定台によりベース部材の外縁部から中心部に向かって前面側に傾斜して配置されているため、二次元的にはＬＥＤ素子の充分な取付面積を確保しつつ、前面側から見た場合の投影面積を小さくすることができるため、充分な光量を確保しつつ、省スペース化を達成することができ、さらなるコンパクト化を実現することができる実益がある。
【図面の簡単な説明】
【００２５】
【図１】本発明のＬＥＤ照明装置の外観斜視図である。
【図２】本発明のＬＥＤ照明装置の垂直断面図である。
【図３】本発明のＬＥＤ照明装置の分解斜視図である。
【図４】本発明のＬＥＤ照明装置の透光性カバーを外した状態の平面図である。
【図５】本発明に用いられるベース部材の斜視図である。
【図６】本発明に用いられるベース部材の断面図である。
【図７】本発明に用いられる電源カバーの斜視図である。
【図８】本発明に用いられる電源カバーの断面図である。
【図９】本発明に用いられるアダプタの斜視図である。
【図１０】本発明に用いられる取付部分の断面図である。
【図１１】本発明に用いられるアダプタ受け部材の斜視図である。
【図１２】本発明に用いられるアダプタ受け部材の断面図である。
【図１３】本発明に用いられるＬＥＤ基板の上面図である。
【図１４】本発明に用いられる透光性カバーの斜視図である。
【図１５】本発明に用いられる透光性カバーの断面図である。
【図１６】本発明に用いられるセンターキャップの斜視図である。
【図１７】本発明に用いられるセンターキャップの断面図である。
【図１８】本発明に用いられるフタ部材の斜視図である。
【図１９】本発明に用いられるスリーブ嵌合部の斜視図である。
【図２０】本発明に用いられるキャップ嵌合部の斜視図である。
【図２１】本発明のＬＥＤ照明装置の断面図の一部拡大図である。
【図２２】本発明に用いられる基板固定台の斜視図である。
【図２３】本発明のＬＥＤ照明装置の断面図の一部拡大図である。
【発明を実施するための形態】
【００２６】
以下に本発明の好適な実施の形態について、図面を参照しながら詳細に説明する。なお本実施形態は一例であり、これに限定されるものではない。
【００２７】
図１乃至図３は、本発明の照明装置１００の実施の形態の一つを示し、この本実施形態に係わるＬＥＤ照明装置１００は、図１乃至図３に示すように、ＬＥＤランプ本体１と、このＬＥＤランプ本体１に取り付けられてＬＥＤランプ本体１を覆う透光性カバー３と、この透光性カバー３のセード３１の前面側に設けられたセード開口部３１ｄを覆うセンターキャップ４とから成っている。このＬＥＤ照明装置１００は、特に図２に示すように、天井面５にあらかじめ設置されているロゼットや引掛シーリングボディ等の配線器具７に、電気的かつ機械的に接続されるアダプタ６を備え、さらにアダプタ６にＬＥＤランプ本体１が着脱自在に装着される。天井面５にＬＥＤ照明装置１００を装着する場合、電源カバー１９の天井面５側に取付けられているポリウレタン等の天井面用弾性部材１２を天井面５へ向けて押し込み、アダプタ６とＬＥＤランプ本体１の取付部分１１とを接続するように、ＬＥＤ照明装置１００を押圧する。その後、透光性カバー３の前面側開口部に、センターキャップ４を嵌合して、ＬＥＤ照明装置１００はシーリングライトとして使用可能となる。天井面用弾性部材１２は、天井面５に接触させて、ＬＥＤ照明装置１００の位置ずれや振動を防止することができる。この場合、被取付部としての配線器具７が天井面５に設けられていれば、天井面５に特別な補強を施すことなく、施工性良くＬＥＤ照明装置１００を取付けることができる。
【００２８】
・  ＬＥＤランプ本体）
ＬＥＤランプ本体１は、図３及び図４に示すように、ベース部材１０と、このベース部材１０を天井面５等の被取付部の配線器具７に取り付けられたアダプタ６に取付ける取付部分１１と、このベース部材１０の背面側に設置された電源カバー１９と、この電源カバー１９に配設される点灯基板１３からなっている。また、ＬＥＤランプ本体１は、図３及び図４に示すように、この取付部分１１よりも外周側においてベース部材１０の前面に配設されるＬＥＤ基板１４と、このＬＥＤ基板１４に実装されるＬＥＤ素子１５をも有している。
【００２９】
（１．−１  ベース部材）
ＬＥＤランプ本体１のベース部材１０は、冷間圧延鋼板（ＳＰＣＣ）等の金属材料を使用して、打抜加工、プレス加工、折曲加工等によって作成される。ベース部材１０は、図２乃至図６に示すように、円盤形状で、特に図５に示すように中心部に円形のベース部材取付部１０ａが開口し、取付部分１１が外部より目視出来るように形成されている。
【００３０】
また、ベース部材１０には、図５に示すように、環状に加工された中央部側リブ１６ａと周縁部側リブ１６ｂから成る周方向リブ１６と、放射方向リブ１７が加工されている。これらのリブ１６、１７を設けることにより、ベース部材１０の強度を補強することができ、ベース部材１０を構成する金属材料の厚みを薄くすることが可能になり、軽量化とコストダウンを実現することができとともに、放熱面積を増加することができる。
【００３１】
（１．−２  電源カバー）
電源カバー１９は、図７及び図８に示すように、冷間圧延鋼板（ＳＰＣＣ）等の金属材料を使用して、打抜加工、プレス加工、折曲加工等によって略円環状に作成される。この電源カバー１９は、図７及び図８に示す電源カバー外縁部１９ｂを、ベース部材１０の背面に取り付けることにより、ベース部材１０に取り付けられる。具体的には、電源カバー外縁部１９ｂは、ベース部材１０の周縁部側リブ１６ｂの背面側の凸部に固定され、電源カバー内縁部１９ａは、取付部分１１のアダプタ受け部材１１ａに固定される。また、電源カバー１９の電源カバー外側壁１９ｅは、図７及び図８に示すように、前面側に向かって拡開するように傾斜状をなしており、電源カバー背面壁１９ｃの中央部には電源カバー開口部１９ｆが形成されて、電源カバー開口部１９ｆは、電源カバー背面壁１９ｃより前面側に向かって縮閉するように傾斜状をなして電源カバー内側壁１９ｄが設けられている。
【００３２】
（１．−３  点灯基板）
点灯基板１３は、図２、図３及び図２１に示すように、配線器具７からの交流電流を直流に変換してＬＥＤ基板１４に供給するために、電源カバー１９の電源カバー背面壁１９ｃの前面側に、台形状に配設されている。点灯基板１３は、電子部品１３ａが片面に配線された紙フェノール基板（ＦＲ−１）で構成されている。点灯基板１３の電子部品１３ａが搭載されていない裏面を、電源カバー１９の前面側に絶縁シートを介して配設することにより、点灯基板１３から発生する熱を、電源カバー１９を介して放熱することが可能となる。なお、この点灯基板１３を構成する電子部品１３ａとしては、過電流保護、ノイズカット、整流、平滑、調光制御などを行うための各種ダイオード、コンデンサ、ＩＣ、抵抗などの公知の電子部品を使用することができる。
【００３３】
（１．−４  取付部分）
取付部分１１は、図１０乃至図１２に示すように、アダプタ６が挿通し係合するアダプタガイド部分であり、ＬＥＤランプ本体１をアダプタ６に、取り付ける部分である。この取付部分１１は、図１０に示すように、アダプタ６を挿入することができる開口空間を形成する電源カバー開口部１９ｆと、ベース部材１０のベース部材取付部１０ａと、本発明においては、更に、電源カバー１９とベース部材１０との間に挟まれるアダプタ受け部材１１ａとから成っている。この取付部分１１は、図９に示すアダプタ６の係止部６ａを、ＬＥＤランプ本体１を接続するアダプタ受け部材１１ａのアダプタ係止挿入部１１ｂで受けて、固定する。アダプタ受け部材１１ａは、図１０乃至図１２に示すように、電源カバー１９の内縁部１９ａとベース部材１０のベース部材取付部１０ａの間に嵌装されて図示しないネジにより固定されることにより、電源カバー１９とベース部材１０との間に挟まれる。
【００３４】
アダプタ６は、図９に示すように、天井面５に設置された配線器具７に、上面側に設けられた引掛刃６ｂによって電気的かつ機械的に接続されるもので略円筒状をなし、配線器具７に差し込み、回動して固定される。固定を保持させるために、アダプタ６の上面側に止め具６ｃが設けられている。止め具６ｃは、周壁のボタン６ｄを押入操作することにより解除されるようになっている。アダプタ６の周壁の両側には、一対の係止部６ａが内蔵されたスプリングによって、常時外周側へ突出するように設けられている。この係止部６ａは、下面側に設けられたレバーを操作することにより没入するようになっている。また、このアダプタ６からは、点灯基板１３へ接続する図示しない電源コードが導出されていて、点灯基板１３とコネクタを介して接続されるようになっている。
【００３５】
さらに、アダプタ受け部材１１ａには、図１１及び図１２に示すように、アダプタ６からの商用電源を点灯基板１３に送るための配線と、点灯基板１３からＬＥＤ基板１４への配線を通すためのアダプタ受け部材配線孔１１ｅが２箇所設けられている。この２つのアダプタ受け部材配線孔１１ｅの端部は、配線が金属材のベース部材配線孔１０ｂに接触しないように、アダプタ受け部配線孔１１ｅの周囲を凸形状としてベース部材配線孔１０ｂの内側に嵌装させている。これにより、配線が金属材のベース部材配線孔１０ｂに接触することがないので、配線の外的損傷を防ぐことができる。
【００３６】
また、このアダプタ受け部材１１ａは、例えば、リカーボネイト（ＰＣ）等の熱可塑性合成樹脂からから形成されている。この場合、取付部分１１には、ＬＥＤ照明装置１００の着脱時に大きな力が掛かるために、強度的に強い金属材等により構成されていることが多いところ、本発明では、この合成樹脂材から成るアダプタ受け部材１１ａを、金属材により作成されている電源カバー１９の電源カバー内縁部１９ａとベース部材１０のベース部材取付部１０ａで挟んでいるため、強度と軽量化の両方を兼ね備えることができる構造となっている。具体的には、アダプタ受け部材１１ａは、そのアダプタ背面開口部１１ｄを、電源カバー開口部１９ｆに嵌装して、電源カバー開口部１９ｆ側よりアダプタ受け部材固定孔１１ｆにネジを挿通することにより、電源カバー１９に固定される。一方、アダプタ受け部材１１ａは、そのアダプタ前面開口部１１ｃを、ベース部材取付部１０ａに嵌装して、ベース部材取付部１０ａ側よりネジを挿通することにより、ベース部材１０に固定される。これにより、アダプタ受け部材１１ａは、図１０に示すように、電源カバー１９とベース部材１０との間に挟まれる。
【００３７】
また、金属材の電源カバー１９とベース部材１０の間に、合成樹脂材のアダプタ受け部材１１ａを介在することにより、電源カバー内縁部１９ａとベース部材取付部１０ａを作成する金属材の絞り加工による曲げ加工量を抑えることが可能となり、工数とコストの削減も可能とすることができる。
【００３８】
（１．−５  ＬＥＤ基板）
ＬＥＤ基板１４は、図３、図４、図１３及び図２１に示すように、所定の幅寸法を有した円弧形状の８枚の基板が基板接続線１４ｂによりつなぎ合わされるように配設されて全体として略サークル状に形成されている。このＬＥＤ基板１４は、片面に配線されたガラスコンポジット基板（ＣＥＨ−３）から成り、片面側にＬＥＤ素子１５と電子部品１４ｄが実装されている。このように分割された基板を用いることにより、基板の分割部分で熱的収縮を吸収して基板の変形を抑制することができる。また、このＬＥＤ基板１４は、特に図２１に示すように、部分的に点灯基板１３と直交する方向において位置するように、即ち、点灯基板１３と垂直方向において部分的に重なるように、ベース部材１０に配設されている。このため、ＬＥＤ照明装置１００の直径を小さくして省スペース化によりＬＥＤ照明装置１００をコンパクトにすることができ、コストを低減することができる。
【００３９】
また、このＬＥＤ基板１５には、図４に示すように、ＬＥＤ素子１５が、ベース部材１０の垂直方向中心軸に対し、複数の円周上に配置され、一つの円周上のＬＥＤ素子１５が他の円周上のＬＥＤ素子１５と、千鳥状の関係を構成するように配置されている。それにより、ＬＥＤ基板１４は、透光性カバー３が均一な明るさになる基板を構成し、ベース部材１０に合成樹脂性のピン等により固定されている。ＬＥＤ基板１４のＬＥＤ素子１５が搭載されていない裏面を、ベース部材１０に固定されて熱的に結合されていることにより、ＬＥＤ基板１４から発生する熱をベース部材１０により放熱することが可能となる。これにより、ＬＥＤ素子１５の効率を高めることもできるようになる。なお、ＬＥＤ素子１５のＬＥＤ素子搭載面側に、高反射シートを貼合することや、高反射用樹脂を塗布することにより、さらに光取り出し効率の改善することができる。
【００４０】
ＬＥＤ基板１４は、図１３に示すように、ＬＥＤ素子１５が搭載されていない略サークル形状の中心部側で隣接するＬＥＤ基板１４と基板接続線１４ｂにより接続されて、円環状に配設されている。基板接続線１４ｂの両端部は、各基板に半田で接続されＬＥＤ素子１５に駆動用の電気を送っている。図１３に示すように、このＬＥＤ基板１４の１つに、補助光源１４ｆと点灯用の給電のための点灯基板１３からの配線を接続する発光用基板コネクタ１４ｃが設けられている。発光用基板コネクタ１４ｃは、中心部側に配置されているので点灯基板１３から取付部分１１を通っての電源供給が行い易く、ＬＥＤ基板１４内の配線長を最短にできる構成をとることができる。
【００４１】
補助光源１４ｆは、図１３に示すように、主光源であるＬＥＤ素子１５と同一基板に実装されて、通常は常夜灯用として用いられていることが多い。この補助光源１４ｆは、主光源のＬＥＤ素子１５と同じ仕様のＬＥＤ素子を使用することができ、また、他の調色仕様のＬＥＤ素子を使用することもできる。この補助光源１４ｆとして用いられるＬＥＤ素子により、光の出射範囲が異なる場合がある。例えば、補助光源１４ｆに、砲弾型のＬＥＤ素子を用いる場合は、そのまま基板に実装しても、光の出射範囲が狭いので常夜灯として適している。しかし、チップ型のＬＥＤ素子を用いる場合は、そのまま基板に実装して用いると、光の出射範囲が広すぎるので、常夜灯として用いる場合には、不都合な場合がある。その場合には、チップ型のＬＥＤ素子を図示しない円筒形の筒で覆うことにより、光の出射範囲を変更することにより対応が可能となる。なお、補助光源１４ｆは、図１３に示すように、ＬＥＤ基板１４の略サークル形状の中心部側に配設されており、これにより、多方向に均一な光を出射することができる。
【００４２】
また、図１３に示すように、点灯基板１３からの配線を接続する発光用基板コネクタ１４ｃが設けられているＬＥＤ基板１４とは異なる別のＬＥＤ基板１４に、赤外線のリモコン信号受光部１４ｅと、このリモコン信号受光部１４ｅの作動のための給電を行う点灯基板１３からの配線を接続するリモコン用基板コネクタ１４ｇが設けられている。このリモコン用基板コネクタ１４ｇは、図１３に示すように、ＬＥＤ基板１４の略サークル形状の中心部側に配置されているので点灯基板１３から取付部分１１を通っての配線が行い易く、ＬＥＤ基板１４内の配線長を最短にできる構成をとることができる。また、このように、補助光源１４ｆとリモコン信号受光部１４ｅを、異なる別々のＬＥＤ基板１４に設置して、電源供給の配線とは別にリモコン信号の配線を行うことにより、ノイズに対する誤動作を防止することができる。
【００４３】
このリモコン信号受光部１４ｅは、外部のリモートコントローラー（以下、リモコンと略称する。）からの信号を受光して、ＬＥＤ照明装置１００を制御するものである。リモコンからは、照明装置動作信号、調光信号、調色信号、リモコンの周波数選択信号等が、送られる。リモコンの周波数選択信号は、例えば同じ部屋において同じ周波数を使用するリモコンがある場合に、他のリモコンの操作により動作してしまう誤動作を防ぐために設けられている。
【００４４】
また、図１３に示すように、ＬＥＤ基板１４の隣接する他のＬＥＤ基板１４と対向する端部の外周側に近い部分に、それぞれのＬＥＤ基板１４に略半円状の基板凹部１４ａが２箇所設けられている。この基板凹部１４ａは、電源カバー１９をベース部材１０に固定するためのネジが、周縁部側リブ１６ｂに挿入されている部分で、ネジとＬＥＤ基板１４との距離をとることにより、ＬＥＤ基板１４の絶縁延命距離を保つ役割を有する。
【００４５】
（１．−６  ＬＥＤ素子）
なお、このＬＥＤ基板１４に実装されるＬＥＤ素子１５としては、公知の種々のＬＥＤを用いることができる。本実施形態では、照明用の白色光を発光する高輝度タイプのＬＥＤ素子と、昼光色を発光する高輝度タイプのＬＥＤ素子が用いられて、調色が可能なＬＥＤ照明装置の構成となっている。
【００４６】
（１．−７  ＬＥＤランプ本体の組付）
上述したＬＥＤランプ本体１を構成するベース部材１０、電源カバー１９、点灯基板１３、ＬＥＤ基板１４の相互の位置関係について、図２１を参照しながら説明する。まず、図２１に示すように、ベース部材１０の背面側に円環状の電源カバー１９に配設された点灯基板１３が、取付部分１１を囲むように配設されている。ベース部材１０の前面側に８枚の円弧状のＬＥＤ基板１４が、取付部分１１を囲むように配設されている。ＬＥＤ基板１４は、点灯基板１３と垂直方向において部分的に重なるようにベース部材１０に配設されている。これらにより、本発明のＬＥＤ照明装置１００は、省スペース化することが可能になり、コンパクト化することができ、コストを削減することが可能となる。
【００４７】
（１．−８  ＬＥＤ基板の傾斜配置）
なお、図２１に示す実施の形態では、ＬＥＤ基板１４を、ベース部材１０に直接配設したが、必ずしも、この態様に限定されるものではなく、さらなるコンパクト化を実現するために、他の実施の形態とすることもできる。具体的には、図２２及び図２３に示すように、ＬＥＤ基板１４を基板固定台１８に固定して、さらに、この基板固定台１８をベース部材１０に固定することにより、ＬＥＤ基板１４を、基板固定台１８を介して、ベース部材１０に配設することもできる。この基板固定台１８は、図２２及び図２３に示すように、ベース部材１０の外縁部から中心部に向かって前面側（ＬＥＤランプ本体１を天井面５に取り付けた場合の床面側）に向けて傾斜して形成されている。この場合、複数の基板固定台１８をベース部材１０に配設して、全体として、環状となるように配列することができる。
【００４８】
これらの基板固定台１８は、平面的に見た場合に、ベース部材１０の中心部に近づくに連れ、幅が狭くなる略台形状に形成され、その略台形状の上底と下底に傾斜を付けるために裏側に凸部が設けられている。下底の端部である２箇所と、下底中央部から上底方向に設けられた凸部先端の１箇所の、合計３箇所でベース部材１０に固定されている。３箇所で固定することにより片側支持を避けることができ、振動等に対する固定強度を向上させることができる。
【００４９】
また、この基板固定台１８は、取付けられるＬＥＤ基板１４の発熱をベース部材１０側に伝えないように、断熱性を有する樹脂材料を使用して、射出加工等によって作成される。基板固定台１８は、強度を妨げない程度に、中心部に貫通穴を設けて、軽量化、対流によるＬＥＤ基板１４の放熱を促進している。なお、上述したように、複数の基板固定台１８を組み合わせて、環状に配列することができるが、ＬＥＤ基板１４を傾斜させて取り付けることができる構造であれば、必ずしも、複数の基板固定台１８を用いた形態に限定されるものではなく、一体の基板固定台１８として組み立て工数の削減を図ることもできる。
【００５０】
このように、ＬＥＤ基板１４を、基板固定台１８等により、ベース部材１０の外周部から中心部に向かって前面側に傾斜して配置することにより、二次元的にはＬＥＤ素子１５の充分な取付面積を確保しつつ、前面側から見た場合の投影面積を小さくすることができ、充分な光量を確保しつつ、特に、径方向における省スペース化を図ることにより、さらなるコンパクト化を実現することができる。
【００５１】
・  透光性カバー）
一方、このＬＥＤランプ本体１に取り付けられる透光性カバー３は、図２及び図３、図１４及び図１５に示されるように、光を出射するセード３１と、ＬＥＤランプ本体１の取付部分１１とセード３１の前面側開口部をつなぐ略円筒形のセンタースリーブ３２から成り、特に図２に示すように、ベース部材１０に嵌装されて、ＬＥＤランプ本体１を覆っている。
【００５２】
この場合、本発明においては、透光性カバー３は、ポリプロピレン（ＰＰ）等の熱可塑性合成樹脂を使用して、特に図１４及び図１５に示すように、円形のドーム形状のセード３１と円筒形状のセンタースリーブ３２とを一体として成形されている。これにより、製造工程を削減して、製造に要する手間とコストを削減することができると同時に、透光性カバー３のコンパクト化及び軽量化を実現することができる。
【００５３】
なお、透光性カバー３の材質として、ポリプロピレン（ＰＰ）を用いるのは、軽量化及びコストダウンを図る上で好適であることに加え、外部のリモコンから出される赤外線の信号を透過して、ＬＥＤ基板１４に設けられたリモコン信号受光部１４ｅまで、赤外線の信号を到達させるのに、好適だからである。また、透光性カバー３は、セード３１を連続した曲面形状にすることや、セード３１に高密度となる光拡散面を形成するシボ加工を施したり、材料に拡散剤を含有させること等により、さらに全面で均一に発光させることができる。これにより、セード３１は、出射光を光拡散して全面で均一に発光させることができる。
【００５４】
この透光性カバー３のベース部材１０への嵌装は、ベース部材１０のベース外縁部１０ｃ（図５参照）と、セード３１のセード外縁部３１ａの外周に沿って設けられたセード受け部３１ｂ及びセード外縁部３１ａの複数の個所に設けられたセード留め具３１ｃの間に挿入されたポリウレタン等のベース部材用弾性部材３３（図２１、図２３参照）を介して行われる。この場合、図２に示すように、透光性カバー３をベース部材１０に嵌装し、センタースリーブ３２のスリーブ固定部３２ｄをベース部材１０に固定することにより、密閉する。従って、セード３１の外径と、ベース部材１０の外径は、ほぼ同じ大きさとすることができ、これにより、ＬＥＤランプ本体１と同様に、透光性カバー３のコンパクト化をも実現することができると同時に、コストダウンを図ることもできる。また、このベース部材用弾性部材３３の弾性変形により、ベース部材１０のベース外縁部１０ｃの形状に追随して密着して嵌合することができるため、ベース部材１０と透光性カバー３の間が密閉されて、ＬＥＤ照明装置１００に粉塵や虫等の侵入を防ぐ効果も合わせて生じさせることができる。
【００５５】
なお、本発明のＬＥＤ照明装置１００においては、点灯基板１３を配設した電源カバー１９をベース部材１０の背面に配設しているので、ＬＥＤ基板１４は、ＬＥＤ基板１４とセード３１の中心部との距離、セード３１のセード外縁部３１ａとの距離を均等にして、ＬＥＤ基板１４をベース部材１０に配設することが可能となり、透光性カバー３を全面均一に光らせることができる。
【００５６】
（３．  センターキャップ）
更に、セード３１の前面側に設けられたセード開口部３１ｄを覆うセンターキャップ４は、図１及び図２、図１６及び図１７に示すように、透光性カバー３のセード開口部３１ｄと嵌合して、ＬＥＤ照明装置１００の光出射面を構成する。このセンターキャップ４は、特に、図１６及び図１７に示すように、円盤形状に形成され、前面にはセンターキャップ４を手により回動させて、セード開口部３１ｄと嵌合させるために用いるキャップ凹部４２と、センターキャップ４の外縁に対向して設けられたキャップ嵌合部４１とを有している。
【００５７】
このセンターキャップ４のキャップ嵌合部４１の透光性カバー３のセード開口部３１ｄへの嵌合について、図１８乃至図２０を用いて説明する。図１９に示す透光性カバー３のスリーブ嵌合部３２ａに、図２０に示すキャップ嵌合部４１が嵌合される。このスリーブ嵌合部３２ａは、図１９に示すように、センタースリーブ３２の内周面において前面側であるセード３１のセード開口部３１ｄに臨むようにして、相対向して２箇所設けられている。また、スリーブ嵌合部３２ａは、図１９に示すように、キャップ嵌合部４１のキャップ押圧片４１ｂ（図２０参照）と接して押圧されるスリーブ留め部３２ｂと、キャップ嵌合部４１のキャップ留め片４１ａのキャップ凸部４１ｃ（図２０参照）をロックするための凸形状のスリーブ凸部３２ｃと、透光性カバー３内に粉塵や虫等の進入を防ぐフタ部材３４から成っている。このスリーブ嵌合部３２ａを、透光性カバー３の一体成形により製造するためには、スリーブ嵌合部３２ａの一部に、開口部を設定する必要があることから、この製造上必要となった開口部に、別部材のフタ部材３４により対応して、ベース部材１０と透光性カバー３との間を密閉している。
【００５８】
一方、キャップ嵌合部４１は、図２０に示すように、スリーブ嵌合部３２ａのスリーブ留め部３２ｂに接してこのスリーブ留め部３２ｂを押圧するために、挿入側から徐々に厚くなりその後一定の厚さを保持するキャップ押圧片４１ｂと、このキャップ押圧片４１ｂと並んで挿入側よりキャップ押圧片４１ｂより薄い一定の厚さを保持し、途中にロックするための凸形状のキャップ凸部４１ｃを有するキャップ留め片４１ａから成っている。
【００５９】
センターキャップ４は、このキャップ嵌合部４１をスリーブ嵌合部３２ａに挿入して、センターキャップ４を回動することにより、透光性カバー３のセード開口部３１ｄに嵌合させる。キャップ押圧片４１ｂが、スリーブ留め部３２ｂに接してこのスリーブ留め部３２ｂを押圧するとともに、キャップ留め片４１ａのキャップ凸部４１ｃが、スリーブ凸部３２ｃを乗り越えることにより、センターキャップ４がセード開口部３１ｄに固定される。これにより、センターキャップ４を、セード開口部３１ｄにロックして保持することができ、ロック機能を有する嵌合を実現することができる。
【００６０】
（４．  その他）
以上のように、本実施形態では、セード３１とセンタースリーブ３２が一体で構成されている。これらによってＬＥＤ照明装置は、軽量化とコストダウンでき、良好な意匠性を示している。なお、本実施形態では、ＬＥＤランプ本体の形状を円筒形にしたが、これに限定されず断面が４角形等からなる扁平な多角柱であってもよい。
【００６１】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００６２】
本発明は、リビングや和室、更に、寝室や子供部屋等の各居室や廊下、玄関等の天井面や壁面等に沿って設置されるＬＥＤ照明装置として、広く適用することができる。
【符号の説明】
【００６３】
１：ＬＥＤランプ本体
１０：ベース部材
１０ａ：ベース部材取付部
１０ｂ：ベース部材配線孔
１０ｃ：ベース外縁部
１１：取付部分
１１ａ：アダプタ受け部材
１１ｂ：アダプタ係止挿入部
１１ｃ：アダプタ前面開口部
１１ｄ：アダプタ背面開口部
１１ｅ：アダプタ受け部材配線孔
１１ｆ：アダプタ受け部材固定孔
１２：天井面用弾性部材
１３：点灯基板
１３ａ：電子部品
１４：ＬＥＤ基板
１４ａ：基板凹部
１４ｂ：基板接続線
１４ｃ：発光用基板コネクタ
１４ｄ：電子部品
１４ｅ：リモコン信号受光部
１４ｆ：補助光源
１４ｇ：リモコン用基板コネクタ
１５：ＬＥＤ素子
１６：周方向リブ
１６ａ：中央部側リブ
１６ｂ：周縁部側リブ
１７：放射方向リブ
１８：基板固定台  
１９：電源カバー
１９ａ：電源カバー内縁部
１９ｂ：電源カバー外縁部
１９ｃ：電源カバー背面壁
１９ｄ：電源カバー内側壁
１９ｅ：電源カバー外側壁
１９ｆ：電源カバー開口部
３：透光性カバー
３１：セード
３１ａ：セード外縁部
３１ｂ：セード受け部
３１ｃ：セード留め具
３１ｄ：セード開口部
３２：センタースリーブ
３２ａ：スリーブ嵌合部
３２ｂ：スリーブ留め部
３２ｃ：スリーブ凸部
３２ｄ：スリーブ固定部
３３：ベース部材用弾性部材
３４：フタ部材
４：センターキャップ
４１：キャップ嵌合部
４１ａ：キャップ留め片
４１ｂ：キャップ押圧片
４１ｃ：キャップ凸部
４２：キャップ凹部
５： 天井面
６： アダプタ
６ａ：係止部
６ｂ：引掛刃
６ｃ：止め具
６ｄ：ボタン
７：配線器具
１００：ＬＥＤ照明装置
【図１】
2015088270.tif 000003
【図２】
2015088270.tif 000004
【図３】
2015088270.tif 000005
【図４】
2015088270.tif 000006
【図５】
2015088270.tif 000007
【図６】
2015088270.tif 000008
【図７】
2015088270.tif 000009
【図８】
2015088270.tif 000010
【図９】
2015088270.tif 000011
【図１０】
2015088270.tif 000012
【図１１】
2015088270.tif 000013
【図１２】
2015088270.tif 000014
【図１３】
2015088270.tif 000015
【図１４】
2015088270.tif 000016
【図１５】
2015088270.tif 000017
【図１６】
2015088270.tif 000018
【図１７】
2015088270.tif 000019
【図１８】
2015088270.tif 000020
【図１９】
2015088270.tif 000021
【図２０】
2015088270.tif 000022
【図２１】
2015088270.tif 000023
【図２２】
2015088270.tif 000024
【図２３】
2015088270.tif 000025
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
天井面等の被取付部に取り付けられるＬＥＤランプ本体と、
前記ＬＥＤランプ本体を覆う透光性カバーと、前記透光性カバーに嵌合されるセンターキャップとを備えたＬＥＤ照明装置であって、
前記ＬＥＤランプ本体は、
前記被取付部の配線器具に取り付けられたアダプタに取付けられる取付部分を有するベース部材と、
前記ベース部材に配設される点灯基板と、
前記点灯基板により点灯するＬＥＤ素子と、
前記ＬＥＤ素子を実装したＬＥＤ基板とを有し、
前記透光性カバーは、
光を出射するセードと、
前記取付部分と前記セードの前面側に設けられたセード開口部をつなぐ略円筒形のセンタースリーブとから成り、
前記セードと前記センタースリーブとが一体に構成され、
前記センターキャップは、キャップ嵌合部を有し、前記透光性カバーの前記センタースリーブに設けられたスリーブ嵌合部に、前記キャップ嵌合部を嵌合することにより前記透光性カバーの前記セード開口部に嵌合され、
前記スリーブ嵌合部は、前記透光性カバー内に粉塵や虫等の進入を防ぐフタ部材を有していることを特徴とするＬＥＤ照明装置。
【請求項２】
請求項１に記載されたＬＥＤ照明装置であって、前記センターキャップは、前記透光性カバーの前記センタースリーブとロック機構により嵌合されていることを特徴とするＬＥＤ照明装置。
【請求項３】
請求項２に記載されたＬＥＤ照明装置であって、前記ロック機構は、前記センタースリーブの前面側に設けられ、凸形状を有するスリーブ凸部を備えた前記スリーブ嵌合部と、
前記センターキャップに設けられ、前記センターキャップの回動により前記スリーブ凸部を乗り越えて前記スリーブ凸部に係合して、前記センターキャップを前記セード開口部に固定する凸形状を有するキャップ凸部を備えた前記キャップ嵌合部とから成っていることを特徴とするＬＥＤ照明装置。
【請求項４】
請求項１乃至請求項３のいずれかに記載されたＬＥＤ照明装置であって、前記透光性カバーの外縁部は、前記ベース部材に、弾性部材を介して嵌装されていることを特徴とするＬＥＤ照明装置。
【請求項５】
請求項１乃至請求項４のいずれかに記載されたＬＥＤ照明装置であって、補助光源とリモートコントロール信号受光部が、異なる別々の前記ＬＥＤ基板に設置されていることを特徴とするＬＥＤ照明装置。
【請求項６】
請求項１乃至請求項５のいずれかに記載されたＬＥＤ照明装置であって、前記ＬＥＤ基板は、前記ベース部材の外縁部から中心部に向かって前面側に傾斜して配置されていることを特徴とするＬＥＤ照明装置。
【請求項７】
請求項６に記載されたＬＥＤ照明装置であって、前記ＬＥＤランプ本体は、前記ＬＥＤ基板を支持する基板固定台を更に有し、前記基板固定台は、前記ベース部材の外縁部から中心部に向かって前面側に傾斜していることを特徴とするＬＥＤ照明装置。
【請求項８】
請求項７に記載されたＬＥＤ照明装置であって、前記基板固定台は、断熱性を有する部材から形成されていることを特徴とするＬＥＤ照明装置。
【手続補正２】
【補正対象書類名】明細書
【補正対象項目名】全文
【補正方法】変更
【補正の内容】
【発明の詳細な説明】
【技術分野】
【０００１】
本発明は、ＬＥＤ素子を光源に使用したＬＥＤ照明装置に係り、特に天井面に設置された配線器具に接続される天井直付け型シーリングライトにおいて、光を出射させる透光性カバーの改良に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井直付け型のシーリングライトや、天井面から吊り下げられて室内を照らす吊下げ型照明機器においても、ＬＥＤ素子を使用した照明装置が開発され、市場に導入されてきている。
【０００３】
このような天井直付けシーリングライトは、天井面に取り付けられた引掛シーリングボディ等の配線器具に、アダプタを介して照明装置を装着するものであり、特に最近は厚みの薄いシーリングライトが検討されている（例えば、特許文献１〜３参照）。
【０００４】
具体的には、例えば、特許文献１に記載されている照明装置は、発光素子を光源とする光源部と、この光源部から光が照射され、光の透過率が相対的に小さい領域と、光の透過率が相対的に大きい領域とが混在するように形成された光透過制御部と、この光透過制御部に対応して設けられた多面体からなる光学製品とを具備する。これにより、グレアを抑制して演出効果を高め、照明装置として付加価値を高めることが可能な照明装置が提供される。
【０００５】
しかしながら、この特許文献１に記載されている照明装置においては、グレアを抑制するために光透過制御部や多面体からなる光学製品を具備している。このため、セードに対して光透過制御部や多面体からなる光学製品を具備しているので、本体の軽量化を図ることが難しく、コストダウンを図ることも難しくなる問題があった。
【０００６】
また、特許文献２に記載されている照明装置は、ＬＥＤを含んでなる光源と、光源に電力を供給する電源基板と、光源及び電源基板を保持する保持体と、光源を覆う透光性カバーとを備えており、保持中は、保持体を被取付部材に取付けるための穴をその略中央に有し、電源基板は、保持体の穴の周囲に設けられ、光源は、電源基板の周囲に設けられ、照明装置は、保持体の穴に対向して配置されるセンターカバーをさらに備える。このように、光源、電源部及び取付部を夫々被取付部材に対して互いに重なり合わないように保持体に配することにより、被取付部材からの突設高さを低減することができ、薄型化された照明装置が提供される。
【０００７】
しかし、この特許文献２に記載されている照明装置においては、光源、電源部及び取付部を夫々被取付部材に対して互いに重なり合わないように保持体に配設されているため、薄型化はできるが、特に径方向にコンパクトにすることが難しく、コストダウンを図ることも難しくなる問題があった。
【０００８】
さらに、特許文献３に記載されている照明器具は、主光源としての複数の発光素子が実装された基板と同一基板に、補助光源としての発光素子及び赤外線リモコン送信器から送信される制御信号を受信する赤外線リモコン信号受光素子が実装されている。このように、主光源と同一基板に、補助光源、赤外線リモコン信号受光素子を実装することにより、違和感を生じることなく、配線接続関係を簡素化できる照明器具が提供される。
【０００９】
しかし、この特許文献３に記載されている照明器具においては、主光源と同一基板に、補助光源、赤外線リモコン信号受光素子が実装されているため、配線接続関係を簡素化することはできるものの、一方で、発光素子の駆動信号と赤外線リモコン信号受光素子の信号が同一配線接続されているので、ノイズによる誤動作防止を図ることが難しくなる問題があった。
【先行技術文献】
【特許文献】
【００１０】
【特許文献１】特開２０１３−８０６８０号公報
【特許文献２】特開２０１３−１７９０９３号公報
【特許文献３】特開２０１２−１６０４２６号公報
【発明の概要】
【発明が解決しようとする課題】
【００１１】
本発明が解決しようとする課題は、上記の問題点に鑑み、コンパクト化及び軽量化とコストダウンを実現しつつ、ノイズに対する誤動作を防止することができ、広く均一に照らせる、天井面の配線器具に簡単に取り付けられるＬＥＤ照明装置を提供することにある。
【課題を解決するための手段】
【００１２】
本発明は、上記の課題を解決するための第１の手段として、天井面等の被取付部に取り付けられるＬＥＤランプ本体と、このＬＥＤランプ本体を覆う透光性カバーと、この透光性カバーに嵌合されるセンターキャップとを備えたＬＥＤ照明装置であって、ＬＥＤランプ本体は、被取付部の配線器具に取り付けられたアダプタに取付けられる取付部分を有するベース部材と、このベース部材に配設される点灯基板と、この点灯基板により点灯するＬＥＤ素子と、このＬＥＤ素子を実装したＬＥＤ基板とを有し、透光性カバーは、光を出射するセードと、取付部分とセードの前面側に設けられたセード開口部をつなぐ略円筒形のセンタースリーブとから成り、セードとセンタースリーブとが一体に構成され、センターキャップは、キャップ嵌合部を有し、透光性カバーのセンタースリーブに設けられたスリーブ嵌合部に、キャップ嵌合部を嵌合することにより透光性カバーのセード開口部に嵌合され、スリーブ嵌合部は、透光性カバー内に粉塵や虫等の進入を防ぐフタ部材を有していることを特徴とするＬＥＤ照明装置を提供するものである。
【００１３】
本発明は、上記の課題を解決するための第２の手段として、上記第１の解決手段において、センターキャップは、透光性カバーのセンタースリーブとロック機構により嵌合されていることを特徴とするＬＥＤ照明装置を提供するものである。
【００１４】
本発明は、上記の課題を解決するための第３の手段として、上記第２の解決手段において、ロック機構は、センタースリーブの前面側に設けられ、凸形状を有するスリーブ凸部を備えたスリーブ嵌合部と、センターキャップに設けられ、センターキャップの回動によりスリーブ凸部を乗り越えてスリーブ凸部に係合して、センターキャップをセード開口部に固定する凸形状を有するキャップ凸部を備えたキャップ嵌合部とから成っていることを特徴とするＬＥＤ照明装置を提供するものである。
【００１５】
本発明は、上記の課題を解決するための第４の手段として、上記第１乃至第３のいずれかの解決手段において、透光性カバーの外縁部は、ベース部材に、弾性部材を介して嵌装されていることを特徴とするＬＥＤ照明装置を提供するものである。
【００１６】
本発明は、上記の課題を解決するための第５の手段として、上記第１乃至第４のいずれかの解決手段において、補助光源とリモートコントロール信号受光部が、異なる別々のＬＥＤ基板に設置されていることを特徴とするＬＥＤ照明装置を提供するものである。
【００１７】
本発明は、上記の課題を解決するための第６の手段として、上記第１乃至第５のいずれかの解決手段において、ＬＥＤ基板は、ベース部材の外縁部から中心部に向かって前面側に傾斜して配置されていることを特徴とするＬＥＤ照明装置を提供するものである。
【００１８】
本発明は、上記の課題を解決するための第７の手段として、上記第６の解決手段において、ＬＥＤランプ本体は、ＬＥＤ基板を支持する基板固定台を更に有し、この基板固定台は、ベース部材の外縁部から中心部に向かって前面側に傾斜していることを特徴とするＬＥＤ照明装置を提供するものである。
【００１９】
本発明は、上記の課題を解決するための第８の手段として、上記第７の解決手段において、基板固定台は、断熱性を有する部材から形成されていることを特徴とするＬＥＤ照明装置を提供するものである。
【発明の効果】
【００２０】
本発明によれば、上記のように、セードとセンタースリーブが一体で構成されているため、コンパクト化されるとともに、製造に要する手間と時間を削減することができ、軽量化とコストダウンすることができると共に、センターキャップをセンタースリーブに嵌合するためのスリーブ嵌合部は、透光性カバー内に粉塵や虫等の進入を防ぐフタ部材を有しているため、このスリーブ嵌合部を、透光性カバーの一体成形により製造するためには、スリーブ嵌合部の一部に、開口部を設定する必要があることから、この製造上必要となった開口部に、別部材のフタ部材により対応して、ベース部材と透光性カバーとの間を密閉して透光性カバー内に粉塵や虫等の進入を防ぐことができる実益がある。
【００２１】
同時に、本発明によれば、上記のように、センターキャップは、ロック機構により、センタースリーブと嵌合されているため、確実な嵌合を行うことができる実益がある。
【００２２】
また、本発明によれば、上記のように、透光性カバーの外縁部は、ベース部材に弾性部材を介して嵌装されているため、コンパクト化を図り、コストダウンできるとともに、この弾性部材の弾性変形によりベース部材の形状に追随して密着することができるため、ベース部材と透光性カバーの間が密閉されて、ＬＥＤ照明装置に粉塵や虫等の侵入を防ぐ効果も合わせて生じさせることができる実益がある。
【００２３】
また、本発明によれば、上記のように、補助光源とリモートコントロール信号受光部（以下、リモコン信号受光部と略称する。）が、異なる別々のＬＥＤ基板に設置されているため、ノイズに対する誤動作防止策が図ることができる実益がある。
【００２４】
また、本発明によれば、上記のように、ＬＥＤ基板は、断熱性を有する基板固定台によりベース部材の外縁部から中心部に向かって前面側に傾斜して配置されているため、二次元的にはＬＥＤ素子の充分な取付面積を確保しつつ、前面側から見た場合の投影面積を小さくすることができるため、充分な光量を確保しつつ、省スペース化を達成することができ、さらなるコンパクト化を実現することができる実益がある。
【図面の簡単な説明】
【００２５】
【図１】本発明のＬＥＤ照明装置の外観斜視図である。
【図２】本発明のＬＥＤ照明装置の垂直断面図である。
【図３】本発明のＬＥＤ照明装置の分解斜視図である。
【図４】本発明のＬＥＤ照明装置の透光性カバーを外した状態の平面図である。
【図５】本発明に用いられるベース部材の斜視図である。
【図６】本発明に用いられるベース部材の断面図である。
【図７】本発明に用いられる電源カバーの斜視図である。
【図８】本発明に用いられる電源カバーの断面図である。
【図９】本発明に用いられるアダプタの斜視図である。
【図１０】本発明に用いられる取付部分の断面図である。
【図１１】本発明に用いられるアダプタ受け部材の斜視図である。
【図１２】本発明に用いられるアダプタ受け部材の断面図である。
【図１３】本発明に用いられるＬＥＤ基板の上面図である。
【図１４】本発明に用いられる透光性カバーの斜視図である。
【図１５】本発明に用いられる透光性カバーの断面図である。
【図１６】本発明に用いられるセンターキャップの斜視図である。
【図１７】本発明に用いられるセンターキャップの断面図である。
【図１８】本発明に用いられるフタ部材の斜視図である。
【図１９】本発明に用いられるスリーブ嵌合部の斜視図である。
【図２０】本発明に用いられるキャップ嵌合部の斜視図である。
【図２１】本発明のＬＥＤ照明装置の断面図の一部拡大図である。
【図２２】本発明に用いられる基板固定台の斜視図である。
【図２３】本発明のＬＥＤ照明装置の断面図の一部拡大図である。
【発明を実施するための形態】
【００２６】
以下に本発明の好適な実施の形態について、図面を参照しながら詳細に説明する。なお本実施形態は一例であり、これに限定されるものではない。
【００２７】
図１乃至図３は、本発明の照明装置１００の実施の形態の一つを示し、この本実施形態に係わるＬＥＤ照明装置１００は、図１乃至図３に示すように、ＬＥＤランプ本体１と、このＬＥＤランプ本体１に取り付けられてＬＥＤランプ本体１を覆う透光性カバー３と、この透光性カバー３のセード３１の前面側に設けられたセード開口部３１ｄを覆うセンターキャップ４とから成っている。このＬＥＤ照明装置１００は、特に図２に示すように、天井面５にあらかじめ設置されているロゼットや引掛シーリングボディ等の配線器具７に、電気的かつ機械的に接続されるアダプタ６を備え、さらにアダプタ６にＬＥＤランプ本体１が着脱自在に装着される。天井面５にＬＥＤ照明装置１００を装着する場合、電源カバー１９の天井面５側に取付けられているポリウレタン等の天井面用弾性部材１２を天井面５へ向けて押し込み、アダプタ６とＬＥＤランプ本体１の取付部分１１とを接続するように、ＬＥＤ照明装置１００を押圧する。その後、透光性カバー３の前面側開口部に、センターキャップ４を嵌合して、ＬＥＤ照明装置１００はシーリングライトとして使用可能となる。天井面用弾性部材１２は、天井面５に接触させて、ＬＥＤ照明装置１００の位置ずれや振動を防止することができる。この場合、被取付部としての配線器具７が天井面５に設けられていれば、天井面５に特別な補強を施すことなく、施工性良くＬＥＤ照明装置１００を取付けることができる。
【００２８】
（１．ＬＥＤランプ本体）
ＬＥＤランプ本体１は、図３及び図４に示すように、ベース部材１０と、このベース部材１０を天井面５等の被取付部の配線器具７に取り付けられたアダプタ６に取付ける取付部分１１と、このベース部材１０の背面側に設置された電源カバー１９と、この電源カバー１９に配設される点灯基板１３からなっている。また、ＬＥＤランプ本体１は、図３及び図４に示すように、この取付部分１１よりも外周側においてベース部材１０の前面に配設されるＬＥＤ基板１４と、このＬＥＤ基板１４に実装されるＬＥＤ素子１５をも有している。
【００２９】
（１．−１  ベース部材）
ＬＥＤランプ本体１のベース部材１０は、冷間圧延鋼板（ＳＰＣＣ）等の金属材料を使用して、打抜加工、プレス加工、折曲加工等によって作成される。ベース部材１０は、図２乃至図６に示すように、円盤形状で、特に図５に示すように中心部に円形のベース部材取付部１０ａが開口し、取付部分１１が外部より目視出来るように形成されている。
【００３０】
また、ベース部材１０には、図５に示すように、環状に加工された中央部側リブ１６ａと周縁部側リブ１６ｂから成る周方向リブ１６と、放射方向リブ１７が加工されている。これらのリブ１６、１７を設けることにより、ベース部材１０の強度を補強することができ、ベース部材１０を構成する金属材料の厚みを薄くすることが可能になり、軽量化とコストダウンを実現することができとともに、放熱面積を増加することができる。
【００３１】
（１．−２  電源カバー）
電源カバー１９は、図７及び図８に示すように、冷間圧延鋼板（ＳＰＣＣ）等の金属材料を使用して、打抜加工、プレス加工、折曲加工等によって略円環状に作成される。この電源カバー１９は、図７及び図８に示す電源カバー外縁部１９ｂを、ベース部材１０の背面に取り付けることにより、ベース部材１０に取り付けられる。具体的には、電源カバー外縁部１９ｂは、ベース部材１０の周縁部側リブ１６ｂの背面側の凸部に固定され、電源カバー内縁部１９ａは、取付部分１１のアダプタ受け部材１１ａに固定される。また、電源カバー１９の電源カバー外側壁１９ｅは、図７及び図８に示すように、前面側に向かって拡開するように傾斜状をなしており、電源カバー背面壁１９ｃの中央部には電源カバー開口部１９ｆが形成されて、電源カバー開口部１９ｆは、電源カバー背面壁１９ｃより前面側に向かって縮閉するように傾斜状をなして電源カバー内側壁１９ｄが設けられている。
【００３２】
（１．−３  点灯基板）
点灯基板１３は、図２、図３及び図２１に示すように、配線器具７からの交流電流を直流に変換してＬＥＤ基板１４に供給するために、電源カバー１９の電源カバー背面壁１９ｃの前面側に、台形状に配設されている。点灯基板１３は、電子部品１３ａが片面に配線された紙フェノール基板（ＦＲ−１）で構成されている。点灯基板１３の電子部品１３ａが搭載されていない裏面を、電源カバー１９の前面側に絶縁シートを介して配設することにより、点灯基板１３から発生する熱を、電源カバー１９を介して放熱することが可能となる。なお、この点灯基板１３を構成する電子部品１３ａとしては、過電流保護、ノイズカット、整流、平滑、調光制御などを行うための各種ダイオード、コンデンサ、ＩＣ、抵抗などの公知の電子部品を使用することができる。
【００３３】
（１．−４  取付部分）
取付部分１１は、図１０乃至図１２に示すように、アダプタ６が挿通し係合するアダプタガイド部分であり、ＬＥＤランプ本体１をアダプタ６に、取り付ける部分である。この取付部分１１は、図１０に示すように、アダプタ６を挿入することができる開口空間を形成する電源カバー開口部１９ｆと、ベース部材１０のベース部材取付部１０ａと、本発明においては、更に、電源カバー１９とベース部材１０との間に挟まれるアダプタ受け部材１１ａとから成っている。この取付部分１１は、図９に示すアダプタ６の係止部６ａを、ＬＥＤランプ本体１を接続するアダプタ受け部材１１ａのアダプタ係止挿入部１１ｂで受けて、固定する。アダプタ受け部材１１ａは、図１０乃至図１２に示すように、電源カバー１９の内縁部１９ａとベース部材１０のベース部材取付部１０ａの間に嵌装されて図示しないネジにより固定されることにより、電源カバー１９とベース部材１０との間に挟まれる。
【００３４】
アダプタ６は、図９に示すように、天井面５に設置された配線器具７に、上面側に設けられた引掛刃６ｂによって電気的かつ機械的に接続されるもので略円筒状をなし、配線器具７に差し込み、回動して固定される。固定を保持させるために、アダプタ６の上面側に止め具６ｃが設けられている。止め具６ｃは、周壁のボタン６ｄを押入操作することにより解除されるようになっている。アダプタ６の周壁の両側には、一対の係止部６ａが内蔵されたスプリングによって、常時外周側へ突出するように設けられている。この係止部６ａは、下面側に設けられたレバーを操作することにより没入するようになっている。また、このアダプタ６からは、点灯基板１３へ接続する図示しない電源コードが導出されていて、点灯基板１３とコネクタを介して接続されるようになっている。
【００３５】
さらに、アダプタ受け部材１１ａには、図１１及び図１２に示すように、アダプタ６からの商用電源を点灯基板１３に送るための配線と、点灯基板１３からＬＥＤ基板１４への配線を通すためのアダプタ受け部材配線孔１１ｅが２箇所設けられている。この２つのアダプタ受け部材配線孔１１ｅの端部は、配線が金属材のベース部材配線孔１０ｂに接触しないように、アダプタ受け部配線孔１１ｅの周囲を凸形状としてベース部材配線孔１０ｂの内側に嵌装させている。これにより、配線が金属材のベース部材配線孔１０ｂに接触することがないので、配線の外的損傷を防ぐことができる。
【００３６】
また、このアダプタ受け部材１１ａは、例えば、リカーボネイト（ＰＣ）等の熱可塑性合成樹脂からから形成されている。この場合、取付部分１１には、ＬＥＤ照明装置１００の着脱時に大きな力が掛かるために、強度的に強い金属材等により構成されていることが多いところ、本発明では、この合成樹脂材から成るアダプタ受け部材１１ａを、金属材により作成されている電源カバー１９の電源カバー内縁部１９ａとベース部材１０のベース部材取付部１０ａで挟んでいるため、強度と軽量化の両方を兼ね備えることができる構造となっている。具体的には、アダプタ受け部材１１ａは、そのアダプタ背面開口部１１ｄを、電源カバー開口部１９ｆに嵌装して、電源カバー開口部１９ｆ側よりアダプタ受け部材固定孔１１ｆにネジを挿通することにより、電源カバー１９に固定される。一方、アダプタ受け部材１１ａは、そのアダプタ前面開口部１１ｃを、ベース部材取付部１０ａに嵌装して、ベース部材取付部１０ａ側よりネジを挿通することにより、ベース部材１０に固定される。これにより、アダプタ受け部材１１ａは、図１０に示すように、電源カバー１９とベース部材１０との間に挟まれる。
【００３７】
また、金属材の電源カバー１９とベース部材１０の間に、合成樹脂材のアダプタ受け部材１１ａを介在することにより、電源カバー内縁部１９ａとベース部材取付部１０ａを作成する金属材の絞り加工による曲げ加工量を抑えることが可能となり、工数とコストの削減も可能とすることができる。
【００３８】
（１．−５  ＬＥＤ基板）
ＬＥＤ基板１４は、図３、図４、図１３及び図２１に示すように、所定の幅寸法を有した円弧形状の８枚の基板が基板接続線１４ｂによりつなぎ合わされるように配設されて全体として略サークル状に形成されている。このＬＥＤ基板１４は、片面に配線されたガラスコンポジット基板（ＣＥＨ−３）から成り、片面側にＬＥＤ素子１５と電子部品１４ｄが実装されている。このように分割された基板を用いることにより、基板の分割部分で熱的収縮を吸収して基板の変形を抑制することができる。また、このＬＥＤ基板１４は、特に図２１に示すように、部分的に点灯基板１３と直交する方向において位置するように、即ち、点灯基板１３と垂直方向において部分的に重なるように、ベース部材１０に配設されている。このため、ＬＥＤ照明装置１００の直径を小さくして省スペース化によりＬＥＤ照明装置１００をコンパクトにすることができ、コストを低減することができる。
【００３９】
また、このＬＥＤ基板１５には、図４に示すように、ＬＥＤ素子１５が、ベース部材１０の垂直方向中心軸に対し、複数の円周上に配置され、一つの円周上のＬＥＤ素子１５が他の円周上のＬＥＤ素子１５と、千鳥状の関係を構成するように配置されている。それにより、ＬＥＤ基板１４は、透光性カバー３が均一な明るさになる基板を構成し、ベース部材１０に合成樹脂性のピン等により固定されている。ＬＥＤ基板１４のＬＥＤ素子１５が搭載されていない裏面を、ベース部材１０に固定されて熱的に結合されていることにより、ＬＥＤ基板１４から発生する熱をベース部材１０により放熱することが可能となる。これにより、ＬＥＤ素子１５の効率を高めることもできるようになる。なお、ＬＥＤ素子１５のＬＥＤ素子搭載面側に、高反射シートを貼合することや、高反射用樹脂を塗布することにより、さらに光取り出し効率の改善することができる。
【００４０】
ＬＥＤ基板１４は、図１３に示すように、ＬＥＤ素子１５が搭載されていない略サークル形状の中心部側で隣接するＬＥＤ基板１４と基板接続線１４ｂにより接続されて、円環状に配設されている。基板接続線１４ｂの両端部は、各基板に半田で接続されＬＥＤ素子１５に駆動用の電気を送っている。図１３に示すように、このＬＥＤ基板１４の１つに、補助光源１４ｆと点灯用の給電のための点灯基板１３からの配線を接続する発光用基板コネクタ１４ｃが設けられている。発光用基板コネクタ１４ｃは、中心部側に配置されているので点灯基板１３から取付部分１１を通っての電源供給が行い易く、ＬＥＤ基板１４内の配線長を最短にできる構成をとることができる。
【００４１】
補助光源１４ｆは、図１３に示すように、主光源であるＬＥＤ素子１５と同一基板に実装されて、通常は常夜灯用として用いられていることが多い。この補助光源１４ｆは、主光源のＬＥＤ素子１５と同じ仕様のＬＥＤ素子を使用することができ、また、他の調色仕様のＬＥＤ素子を使用することもできる。この補助光源１４ｆとして用いられるＬＥＤ素子により、光の出射範囲が異なる場合がある。例えば、補助光源１４ｆに、砲弾型のＬＥＤ素子を用いる場合は、そのまま基板に実装しても、光の出射範囲が狭いので常夜灯として適している。しかし、チップ型のＬＥＤ素子を用いる場合は、そのまま基板に実装して用いると、光の出射範囲が広すぎるので、常夜灯として用いる場合には、不都合な場合がある。その場合には、チップ型のＬＥＤ素子を図示しない円筒形の筒で覆うことにより、光の出射範囲を変更することにより対応が可能となる。なお、補助光源１４ｆは、図１３に示すように、ＬＥＤ基板１４の略サークル形状の中心部側に配設されており、これにより、多方向に均一な光を出射することができる。
【００４２】
また、図１３に示すように、点灯基板１３からの配線を接続する発光用基板コネクタ１４ｃが設けられているＬＥＤ基板１４とは異なる別のＬＥＤ基板１４に、赤外線のリモコン信号受光部１４ｅと、このリモコン信号受光部１４ｅの作動のための給電を行う点灯基板１３からの配線を接続するリモコン用基板コネクタ１４ｇが設けられている。このリモコン用基板コネクタ１４ｇは、図１３に示すように、ＬＥＤ基板１４の略サークル形状の中心部側に配置されているので点灯基板１３から取付部分１１を通っての配線が行い易く、ＬＥＤ基板１４内の配線長を最短にできる構成をとることができる。また、このように、補助光源１４ｆとリモコン信号受光部１４ｅを、異なる別々のＬＥＤ基板１４に設置して、電源供給の配線とは別にリモコン信号の配線を行うことにより、ノイズに対する誤動作を防止することができる。
【００４３】
このリモコン信号受光部１４ｅは、外部のリモートコントローラー（以下、リモコンと略称する。）からの信号を受光して、ＬＥＤ照明装置１００を制御するものである。リモコンからは、照明装置動作信号、調光信号、調色信号、リモコンの周波数選択信号等が、送られる。リモコンの周波数選択信号は、例えば同じ部屋において同じ周波数を使用するリモコンがある場合に、他のリモコンの操作により動作してしまう誤動作を防ぐために設けられている。
【００４４】
また、図１３に示すように、ＬＥＤ基板１４の隣接する他のＬＥＤ基板１４と対向する端部の外周側に近い部分に、それぞれのＬＥＤ基板１４に略半円状の基板凹部１４ａが２箇所設けられている。この基板凹部１４ａは、電源カバー１９をベース部材１０に固定するためのネジが、周縁部側リブ１６ｂに挿入されている部分で、ネジとＬＥＤ基板１４との距離をとることにより、ＬＥＤ基板１４の絶縁延命距離を保つ役割を有する。
【００４５】
（１．−６  ＬＥＤ素子）
なお、このＬＥＤ基板１４に実装されるＬＥＤ素子１５としては、公知の種々のＬＥＤを用いることができる。本実施形態では、照明用の白色光を発光する高輝度タイプのＬＥＤ素子と、昼光色を発光する高輝度タイプのＬＥＤ素子が用いられて、調色が可能なＬＥＤ照明装置の構成となっている。
【００４６】
（１．−７  ＬＥＤランプ本体の組付）
上述したＬＥＤランプ本体１を構成するベース部材１０、電源カバー１９、点灯基板１３、ＬＥＤ基板１４の相互の位置関係について、図２１を参照しながら説明する。まず、図２１に示すように、ベース部材１０の背面側に円環状の電源カバー１９に配設された点灯基板１３が、取付部分１１を囲むように配設されている。ベース部材１０の前面側に８枚の円弧状のＬＥＤ基板１４が、取付部分１１を囲むように配設されている。ＬＥＤ基板１４は、点灯基板１３と垂直方向において部分的に重なるようにベース部材１０に配設されている。これらにより、本発明のＬＥＤ照明装置１００は、省スペース化することが可能になり、コンパクト化することができ、コストを削減することが可能となる。
【００４７】
（１．−８  ＬＥＤ基板の傾斜配置）
なお、図２１に示す実施の形態では、ＬＥＤ基板１４を、ベース部材１０に直接配設したが、必ずしも、この態様に限定されるものではなく、さらなるコンパクト化を実現するために、他の実施の形態とすることもできる。具体的には、図２２及び図２３に示すように、ＬＥＤ基板１４を基板固定台１８に固定して、さらに、この基板固定台１８をベース部材１０に固定することにより、ＬＥＤ基板１４を、基板固定台１８を介して、ベース部材１０に配設することもできる。この基板固定台１８は、図２２及び図２３に示すように、ベース部材１０の外縁部から中心部に向かって前面側（ＬＥＤランプ本体１を天井面５に取り付けた場合の床面側）に向けて傾斜して形成されている。この場合、複数の基板固定台１８をベース部材１０に配設して、全体として、環状となるように配列することができる。
【００４８】
これらの基板固定台１８は、平面的に見た場合に、ベース部材１０の中心部に近づくに連れ、幅が狭くなる略台形状に形成され、その略台形状の上底と下底に傾斜を付けるために裏側に凸部が設けられている。下底の端部である２箇所と、下底中央部から上底方向に設けられた凸部先端の１箇所の、合計３箇所でベース部材１０に固定されている。３箇所で固定することにより片側支持を避けることができ、振動等に対する固定強度を向上させることができる。
【００４９】
また、この基板固定台１８は、取付けられるＬＥＤ基板１４の発熱をベース部材１０側に伝えないように、断熱性を有する樹脂材料を使用して、射出加工等によって作成される。基板固定台１８は、強度を妨げない程度に、中心部に貫通穴を設けて、軽量化、対流によるＬＥＤ基板１４の放熱を促進している。なお、上述したように、複数の基板固定台１８を組み合わせて、環状に配列することができるが、ＬＥＤ基板１４を傾斜させて取り付けることができる構造であれば、必ずしも、複数の基板固定台１８を用いた形態に限定されるものではなく、一体の基板固定台１８として組み立て工数の削減を図ることもできる。
【００５０】
このように、ＬＥＤ基板１４を、基板固定台１８等により、ベース部材１０の外周部から中心部に向かって前面側に傾斜して配置することにより、二次元的にはＬＥＤ素子１５の充分な取付面積を確保しつつ、前面側から見た場合の投影面積を小さくすることができ、充分な光量を確保しつつ、特に、径方向における省スペース化を図ることにより、さらなるコンパクト化を実現することができる。
【００５１】
（２．透光性カバー）
一方、このＬＥＤランプ本体１に取り付けられる透光性カバー３は、図２及び図３、図１４及び図１５に示されるように、光を出射するセード３１と、ＬＥＤランプ本体１の取付部分１１とセード３１の前面側開口部をつなぐ略円筒形のセンタースリーブ３２から成り、特に図２に示すように、ベース部材１０に嵌装されて、ＬＥＤランプ本体１を覆っている。
【００５２】
この場合、本発明においては、透光性カバー３は、ポリプロピレン（ＰＰ）等の熱可塑性合成樹脂を使用して、特に図１４及び図１５に示すように、円形のドーム形状のセード３１と円筒形状のセンタースリーブ３２とを一体として成形されている。これにより、製造工程を削減して、製造に要する手間とコストを削減することができると同時に、透光性カバー３のコンパクト化及び軽量化を実現することができる。
【００５３】
なお、透光性カバー３の材質として、ポリプロピレン（ＰＰ）を用いるのは、軽量化及びコストダウンを図る上で好適であることに加え、外部のリモコンから出される赤外線の信号を透過して、ＬＥＤ基板１４に設けられたリモコン信号受光部１４ｅまで、赤外線の信号を到達させるのに、好適だからである。また、透光性カバー３は、セード３１を連続した曲面形状にすることや、セード３１に高密度となる光拡散面を形成するシボ加工を施したり、材料に拡散剤を含有させること等により、さらに全面で均一に発光させることができる。これにより、セード３１は、出射光を光拡散して全面で均一に発光させることができる。
【００５４】
この透光性カバー３のベース部材１０への嵌装は、ベース部材１０のベース外縁部１０ｃ（図５参照）と、セード３１のセード外縁部３１ａの外周に沿って設けられたセード受け部３１ｂ及びセード外縁部３１ａの複数の個所に設けられたセード留め具３１ｃの間に挿入されたポリウレタン等のベース部材用弾性部材３３（図２１、図２３参照）を介して行われる。この場合、図２に示すように、透光性カバー３をベース部材１０に嵌装し、センタースリーブ３２のスリーブ固定部３２ｄをベース部材１０に固定することにより、密閉する。従って、セード３１の外径と、ベース部材１０の外径は、ほぼ同じ大きさとすることができ、これにより、ＬＥＤランプ本体１と同様に、透光性カバー３のコンパクト化をも実現することができると同時に、コストダウンを図ることもできる。また、このベース部材用弾性部材３３の弾性変形により、ベース部材１０のベース外縁部１０ｃの形状に追随して密着して嵌合することができるため、ベース部材１０と透光性カバー３の間が密閉されて、ＬＥＤ照明装置１００に粉塵や虫等の侵入を防ぐ効果も合わせて生じさせることができる。
【００５５】
なお、本発明のＬＥＤ照明装置１００においては、点灯基板１３を配設した電源カバー１９をベース部材１０の背面に配設しているので、ＬＥＤ基板１４は、ＬＥＤ基板１４とセード３１の中心部との距離、セード３１のセード外縁部３１ａとの距離を均等にして、ＬＥＤ基板１４をベース部材１０に配設することが可能となり、透光性カバー３を全面均一に光らせることができる。
【００５６】
（３．  センターキャップ）
更に、セード３１の前面側に設けられたセード開口部３１ｄを覆うセンターキャップ４は、図１及び図２、図１６及び図１７に示すように、透光性カバー３のセード開口部３１ｄと嵌合して、ＬＥＤ照明装置１００の光出射面を構成する。このセンターキャップ４は、特に、図１６及び図１７に示すように、円盤形状に形成され、前面にはセンターキャップ４を手により回動させて、セード開口部３１ｄと嵌合させるために用いるキャップ凹部４２と、センターキャップ４の外縁に対向して設けられたキャップ嵌合部４１とを有している。
【００５７】
このセンターキャップ４のキャップ嵌合部４１の透光性カバー３のセード開口部３１ｄへの嵌合について、図１８乃至図２０を用いて説明する。図１９に示す透光性カバー３のスリーブ嵌合部３２ａに、図２０に示すキャップ嵌合部４１が嵌合される。このスリーブ嵌合部３２ａは、図１９に示すように、センタースリーブ３２の内周面において前面側であるセード３１のセード開口部３１ｄに臨むようにして、相対向して２箇所設けられている。また、スリーブ嵌合部３２ａは、図１９に示すように、キャップ嵌合部４１のキャップ押圧片４１ｂ（図２０参照）と接して押圧されるスリーブ留め部３２ｂと、キャップ嵌合部４１のキャップ留め片４１ａのキャップ凸部４１ｃ（図２０参照）をロックするための凸形状のスリーブ凸部３２ｃと、透光性カバー３内に粉塵や虫等の進入を防ぐフタ部材３４から成っている。このスリーブ嵌合部３２ａを、透光性カバー３の一体成形により製造するためには、スリーブ嵌合部３２ａの一部に、開口部を設定する必要があることから、この製造上必要となった開口部に、別部材のフタ部材３４により対応して、ベース部材１０と透光性カバー３との間を密閉している。
【００５８】
一方、キャップ嵌合部４１は、図２０に示すように、スリーブ嵌合部３２ａのスリーブ留め部３２ｂに接してこのスリーブ留め部３２ｂを押圧するために、挿入側から徐々に厚くなりその後一定の厚さを保持するキャップ押圧片４１ｂと、このキャップ押圧片４１ｂと並んで挿入側よりキャップ押圧片４１ｂより薄い一定の厚さを保持し、途中にロックするための凸形状のキャップ凸部４１ｃを有するキャップ留め片４１ａから成っている。
【００５９】
センターキャップ４は、このキャップ嵌合部４１をスリーブ嵌合部３２ａに挿入して、センターキャップ４を回動することにより、透光性カバー３のセード開口部３１ｄに嵌合させる。キャップ押圧片４１ｂが、スリーブ留め部３２ｂに接してこのスリーブ留め部３２ｂを押圧するとともに、キャップ留め片４１ａのキャップ凸部４１ｃが、スリーブ凸部３２ｃを乗り越えることにより、センターキャップ４がセード開口部３１ｄに固定される。これにより、センターキャップ４を、セード開口部３１ｄにロックして保持することができ、ロック機能を有する嵌合を実現することができる。
【００６０】
（４．  その他）
以上のように、本実施形態では、セード３１とセンタースリーブ３２が一体で構成されている。これらによってＬＥＤ照明装置は、軽量化とコストダウンでき、良好な意匠性を示している。なお、本実施形態では、ＬＥＤランプ本体の形状を円筒形にしたが、これに限定されず断面が４角形等からなる扁平な多角柱であってもよい。
【００６１】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００６２】
本発明は、リビングや和室、更に、寝室や子供部屋等の各居室や廊下、玄関等の天井面や壁面等に沿って設置されるＬＥＤ照明装置として、広く適用することができる。
【符号の説明】
【００６３】
１：ＬＥＤランプ本体
１０：ベース部材
１０ａ：ベース部材取付部
１０ｂ：ベース部材配線孔
１０ｃ：ベース外縁部
１１：取付部分
１１ａ：アダプタ受け部材
１１ｂ：アダプタ係止挿入部
１１ｃ：アダプタ前面開口部
１１ｄ：アダプタ背面開口部
１１ｅ：アダプタ受け部材配線孔
１１ｆ：アダプタ受け部材固定孔
１２：天井面用弾性部材
１３：点灯基板
１３ａ：電子部品
１４：ＬＥＤ基板
１４ａ：基板凹部
１４ｂ：基板接続線
１４ｃ：発光用基板コネクタ
１４ｄ：電子部品
１４ｅ：リモコン信号受光部
１４ｆ：補助光源
１４ｇ：リモコン用基板コネクタ
１５：ＬＥＤ素子
１６：周方向リブ
１６ａ：中央部側リブ
１６ｂ：周縁部側リブ
１７：放射方向リブ
１８：基板固定台  
１９：電源カバー
１９ａ：電源カバー内縁部
１９ｂ：電源カバー外縁部
１９ｃ：電源カバー背面壁
１９ｄ：電源カバー内側壁
１９ｅ：電源カバー外側壁
１９ｆ：電源カバー開口部
３：透光性カバー
３１：セード
３１ａ：セード外縁部
３１ｂ：セード受け部
３１ｃ：セード留め具
３１ｄ：セード開口部
３２：センタースリーブ
３２ａ：スリーブ嵌合部
３２ｂ：スリーブ留め部
３２ｃ：スリーブ凸部
３２ｄ：スリーブ固定部
３３：ベース部材用弾性部材
３４：フタ部材
４：センターキャップ
４１：キャップ嵌合部
４１ａ：キャップ留め片
４１ｂ：キャップ押圧片
４１ｃ：キャップ凸部
４２：キャップ凹部
５： 天井面
６： アダプタ
６ａ：係止部
６ｂ：引掛刃
６ｃ：止め具
６ｄ：ボタン
７：配線器具
１００：ＬＥＤ照明装置